(57)【要約】記録メディアを装着した携帯端末における省電力化技術に関する。従来では、記録メディアを装着した携帯端末において、コンテンツの再生等の記録メディアの動作を伴う付加的な機能を実行した結果、電池を消耗し、携帯端末としての本来の機能が実行できないという課題がある。本発明では、上記課題を解決するため、電池残量が少なくなったときには、記録メディアへの電力供給と記録メディアのＣＰＵへ送るクロックを制御することで、記録メディアへの供給電力を減少させる。
2004501468.tif 000002
【特許請求の範囲】
【請求項１】
自装置及び自装置に装着された記録メディアに給電するバッテリを備えた携帯端末であって、
バッテリの残量を監視するバッテリ残量監視手段と、
バッテリ残量が所定値未満の場合には、記録メディアへの供給電力を減少する方向に制御する電力制御手段と
を備えたことを特徴とする携帯端末。
【請求項２】
請求項１の携帯端末であって、
前記電力制御手段は、バッテリ残量が所定値未満の場合には、前記記録メディアへの電力供給を停止する
ことを特徴とする携帯端末。
【請求項３】
請求項１の携帯端末であって、
前記記録メディアは、ＣＰＵを備え、
前記電力制御手段は、バッテリ残量が所定値未満の場合には、前記記録メディアのＣＰＵへのクロックの供給を停止する
ことを特徴とする携帯端末。
【請求項４】
請求項１の携帯端末であって、
前記記録メディアは、ＣＰＵを備え、
前記電力制御手段は、バッテリ残量が所定値未満の場合には、前記記録メディアのＣＰＵへ送るクロックの周波数を下げる
ことを特徴とする携帯端末。
【請求項５】
請求項１の携帯端末であって、さらに、
ユーザ操作により、前記所定値を設定する設定手段
を含むことを特徴とする携帯端末。
【請求項６】
請求項１の携帯端末であって、
前記電力制御手段は、前記残量が第１の値以上第２の値未満のときには、前記記録メディアへの電力供給を停止し、
前記残量が第２の値以上第３の値未満のときには、前記電力制御手段は、前記記録メディアのＣＰＵへのクロックの供給を停止し、
前記残量が第３の値以上第４の値未満のときには、前記記録メディアのＣＰＵへ送るクロックの周波数を下げる
ことを特徴とする携帯端末。
【請求項７】
通信機能とコンテンツ再生機能を有し、自装置及び自装置に装着されたコンテンツを記録した記録メディアに給電するバッテリを備えた携帯端末であって、
バッテリの残量を監視するバッテリ残量監視手段と、
前記残量が所定値未満の場合には、記録メディアへの供給電力を減少させる方向に制御する電力制御手段と
を備えたことを特徴とする携帯端末。
【請求項８】
自装置及び自装置に装着された記録メディアに給電するバッテリを備えた携帯端末における電力制御方法であって、
バッテリの残量を監視するバッテリ残量監視ステップと、
前記残量が所定値未満の場合には、記録メディアへの供給電力を減少させる方向に制御する電力制御ステップと
を含むことを特徴とする携帯端末における電力制御方法。
【請求項９】
自装置及び自装置に装着された記録メディアに給電するバッテリを備えたコンピュータによって、電力制御処理を実行させるプログラムを記録したコンピュータ読取り可能な記録媒体であって、
前記プログラムは、
バッテリの残量を監視するバッテリ残量監視ステップと、
前記残量が所定値未満の場合には、記録メディアへの供給電力を減少させる方向に制御する電力制御ステップと
を含むことを特徴とするコンピュータ読取り可能な記録媒体。
【請求項１０】
自装置及び自装置に装着された記録メディアに給電するバッテリを備えたコンピュータに、電力制御処理を実行させるためのプログラムであって、
前記プログラムは、
バッテリの残量を監視するバッテリ残量監視ステップと、
前記残量が所定値未満の場合には、記録メディアへの供給電力を減少させる方向に制御する電力制御ステップと
を含むことを特徴とするプログラム。
【発明の詳細な説明】
（技術分野）
本発明は、記録メディアを装着した携帯端末の省電力化技術に関する。
【０００１】
（背景技術）
近年、半導体技術の進歩によって、ＳＤメモリカード等の記録メディアの大容量化、小型化が進み、これに伴い、記録メディアを携帯電話やＰＤＡ等の携帯端末に装着して利用する形態が増加してきている。すなわち、画像データや音楽データなどのコンテンツを記録した記録メディアを装着し、通信機能等の本来の機能に加えて、コンテンツの再生という付加的な機能も備える携帯端末が普及しつつある。
【０００２】
ところで、このような付加的な機能の実行のためには、記録メディアを動作させる必要があるが、それには多量の電力を必要とし、この電力は、携帯端末内の電池から供給される。
しかしながら、電池の残量が少なくなったときに、付加的な機能を実行し続けることにより、携帯端末内の電池を消耗し、その結果携帯端末としての本来の機能が実行できなくなることがある。
【０００３】
そこで、本発明は、かかる問題点に鑑みてなされたものであり、電池の残量が少なくなったときに、記録メディアを動作させて行う付加的な機能を実行した結果、携帯端末としての本来の機能が実行できなくなるのを防止することのできる携帯端末を提供することを目的とする。
（発明の開示）
本発明は、自装置及び自装置に装着された記録メディアに給電するバッテリを備えた携帯端末であって、バッテリの残量を監視するバッテリ残量監視手段と、バッテリ残量が所定値未満の場合には、記録メディアへの供給電力を減少する方向に制御する電力制御手段とを備えたことを特徴とする。
【０００４】
この構成によると、バッテリの残量が所定値未満になったときには、記録メディアにおける電力の消費量が抑制されるので、記録メディアを装着しない状態では携帯端末本来の機能のみを実行し、記録メディアを装着し動作させることにより本来の機能に加えて付加的な機能も実行できるような携帯端末において、バッテリ残量が少ないときに、付加的な機能を実行し続けた結果、携帯端末としての本来の機能が実行できなくなってしまうのを防止することができる。
【０００５】
ここで、前記電力制御手段は、バッテリ残量が所定値未満の場合には、前記記録メディアへの電力供給を停止することを特徴とすることができる。
これにより、バッテリ残量が所定値未満のときには、記録メディアへの電力供給が断たれるので、携帯端末では、付加的な機能の実行ができず、専ら携帯端末としての本来の機能のみを実行可能とすることができる。
【０００６】
ここで、前記記録メディアは、ＣＰＵを備え、前記電力制御手段は、バッテリ残量が所定値未満の場合には、前記記録メディアのＣＰＵへのクロックの供給を停止することを特徴とすることができる。
これにより、バッテリ残量が所定値未満のときには、記録メディアのＣＰＵは動作しないので、付加的な機能の実行に伴う電力の消費量を少なくし、携帯端末としての本来の機能を優先して実行することができる。
【０００７】
ここで、前記記録メディアは、ＣＰＵを備え、前記電力制御手段は、バッテリ残量が所定値未満の場合には、前記記録メディアのＣＰＵへ送るクロックの周波数を下げることを特徴とすることができる。
これにより、バッテリ残量が所定値未満のときには、記録メディアのＣＰＵのクロック周波数は低速となるので、付加的な機能の実行に伴う電力の消費量を少なくし、付加的な機能を実行しながらも、携帯端末としての本来の機能を優先して実行することができる。
【０００８】
ここで、前記携帯端末は、ユーザ操作により、前記所定値を設定する設定手段を含むことを特徴とすることができる。
これにより、供給電力を減少させる境界となる電池の残量をユーザが個別に設定することができるので、付加的な機能と本来の機能のいずれをどのくらい重視するかのユーザ個別の事情を反映した制御が可能となる。
【０００９】
ここで、前記電力制御手段は、前記残量が第１の値以上第２の値未満のときには、前記記録メディアへの電力供給を停止し、前記残量が第２の値以上第３の値未満のときには、前記電力制御手段は、前記記録メディアのＣＰＵへのクロックの供給を停止し、前記残量が第３の値以上第４の値未満のときには、前記記録メディアのＣＰＵへ送るクロックの周波数を下げることを特徴とすることができる。
【００１０】
これにより、電池の残量に応じて、電力の消費量を段階的に少なくなるようにする制御が可能となる。
また、本発明は、通信機能とコンテンツ再生機能を有し、自装置及び自装置に装着されたコンテンツを記録した記録メディアに給電するバッテリを備えた携帯端末であって、バッテリの残量を監視するバッテリ残量監視手段と、前記残量が所定値未満の場合には、記録メディアへの供給電力を減少させる方向に制御する電力制御手段とを備えたことを特徴とする。
【００１１】
これにより、通信機能を本来の機能とする携帯端末において、バッテリの残量が所定値未満になったときには、記録メディアでの電力の消費量が抑制されるので、コンテンツ再生機能を実行し続けた結果、通信機能が実行できなくなってしまうのを防止することができる。
（発明を実施するための最良の形態）
本発明の実施の形態について、以下、図面を用いて説明する。
＜携帯端末の構成＞
図１は、本実施の形態に係る携帯電話の構成と、当該携帯電話に接続される記録メディアの構成とを示す。携帯電話１００は、本来の電話としての機能に、記録メディアのコンテンツを再生する機能が付加されたもので、通信機能部１０１と、通話機能部１０２と、コンテンツ再生機能部１０３と、電池１０４と、電池残量監視部１０５と、省電力部１０６と、電力供給制御部１０７と、電力供給部１０８と、クロック制御部１０９と、クロック生成部１１０と、Ｉ／Ｆ部１１１とから構成される。
【００１２】
通信機能部１０１は、音声の送信及び受信のために、信号処理、変復調等の処理を行う。
通話機能部１０２は、音声の入力及び出力を行い、マイク及びスピーカで構成される。
これら通信機能部１０１及び通話機能部１０２は、携帯電話としての本来の機能を実現する。
【００１３】
コンテンツ再生機能部１０３は、携帯電話１００の付加的な機能であり、記録メディア２００に記録されたコンテンツの再生及び当該再生のために必要な処理を行う。図２は、コンテンツ再生機能部１０３の詳細な構成を示す。同図を用いて、コンテンツ再生機能部１０３の詳細を説明する。
認証部４００は、ＣＰＵ２０２との間で認証を行う。この認証が成功すると、ＣＰＵ２０２は、携帯電話１００から、セキュアデータエリア２０６へのアクセスを許可する。メディア鍵＆ＩＤ取得部４０３は、認証が成功すると、フラッシュメモリ２０５内のセキュアデータエリア２０６からメディアＩＤとメディア鍵情報を読み出す。コンテンツ鍵復号鍵生成部４０１は、これらよりコンテンツ鍵復号鍵を生成する。コンテンツ鍵取得部４０４は、セキュアデータエリア２０６からコンテンツ鍵を読み出す。コンテンツ鍵復号部４０３は、読み出されたコンテンツ鍵を生成されたコンテンツ鍵復号鍵で復号する。コンテンツ取得部４０６は、データエリア２０７からコンテンツを読み出す。 コンテンツ復号部４０５は、読み出されたコンテンツを復号化されたコンテンツ鍵を用いて復号化する。コンテンツ再生部４０７は、復号化されたコンテンツを再生する。
【００１４】
電池１０４は、携帯電話１００及び記録メディア２００を動作させるための電力を保持する。
電池残量測定部１０５は、一定時間ごとに電池１０４の電圧を測定して電池の残量を測定する。
省電力部１０６は、電池の残量のレベルに応じて、電力供給制御部１０７及びクロック生成部１１０を指示して、記録メディア２００の消費電力を制御する。
【００１５】
図３は、電池残量と、電力制御との関係を示す。同図に示すように、電池残量レベルが４（本来の機能のみで使用できる時間に換算すると、６分〜８分）のときには、電力供給を通常にし、クロック周波数を通常にする。電池残量レベルが３（４分〜６分）のときには、電力供給を通常にし、クロック周波数を低速とする。電池残量レベルが２（２分〜４分）のときには、電力供給を通常にし、クロックを停止させる。電池残量レベルが１（２分以下）のときには、電力供給を停止させ、クロックを停止させる。
【００１６】
電力供給部１０８は、電池から電力を取出し、自装置及び記録メディア２００に供給する。
電力供給制御部１０７は、省電力部１０６からの指示で、電力供給部１０８における記録メディア２００への電力供給を制御する。
クロック生成部１１０は、クロックを生成して、記録メディア２００のＣＰＵ２０２へ供給する。
【００１７】
クロック制御部１０９は、省電力部１０６からの指示で、クロック生成部１１０におけるクロック生成を制御する。
Ｉ／Ｆ部１１１は、記録メディア２００との間でデータの授受を行う。
記録メディア２００は、電力受給部２０１と、ＣＰＵ２０２と、Ｉ／Ｆ部と、フラッシュメモリ２０５とから構成される。
【００１８】
電力受給部２０１は、電力を受給し、各構成要素へ供給する。
ＣＰＵ２０２は、携帯電話本体との間の認証処理や、データの読み書きのコントロール等を行う。
Ｉ／Ｆ部２０３は、携帯電話１００との間でデータの授受を行う。
フラッシュメモリ２０５は、セキュアデータエリア２０６と、データエリア２０７とを有する。
【００１９】
セキュアデータエリア２０６は、認証が成功したときに携帯電話からのアクセスが可能となる領域であり、メディアＩＤとメディア鍵情報とコンテンツ鍵を格納する。
メディアＩＤは、記録メディアを一意に識別するための記録メディア固有の番号であり、記録メディアの製造時に記録される。
【００２０】
メディア鍵情報は、メディアＩＤとともに、コンテンツ鍵復号鍵を生成するために用いられる。
コンテンツ鍵は、コンテンツの復号化のための鍵で、秘密鍵暗号方式で暗号化された状態で記録されている。コンテンツ鍵の復号化のためには、コンテンツ鍵復号鍵が用いられる。
【００２１】
データエリア２０７は、認証の可否に係らず常に携帯電話からのアクセスが可能となる領域であり、秘密鍵暗号方式で暗号化されたコンテンツを格納する。ここで、コンテンツは、ＭＰ３形式の音楽データであるものとする。
＜動作＞
次に、携帯電話の動作について説明する。
【００２２】
図４は、携帯電話の省電力制御処理の動作手順を示すフロチャートである。
携帯電話１００に記録メディア２００が装着されたときから省電力制御処理が開始される。
まず、電池残量監視部１０５は、一定時間ごとに、電池１０４の残量を測定（ステップＳ３０１、Ｓ３０２）。
【００２３】
省電力部１０６は、電池１０４の残量のレベルが変化したかどうかを調べ、変化してないなら、ステップＳ３０１に戻り、変化しているなら、次のステップに移行する（ステップＳ３０３）。
省電力部１０６は、電池１０４の残量レベルが「４」の場合には、電力供給部１０８からの供給電力が通常になるように電力供給制御部１０７を指示し、電力供給制御部１０７は、電力供給部１０８からの供給電力が通常でない場合には、通常になるように制御する（ステップＳ３０４、Ｓ３０５）。
【００２４】
また、省電力部１０６は、クロック生成部１１０からのクロック周波数が通常になるようにクロック制御部１０９を指示し、クロック制御部１０９は、クロック生成部１１０からのクロック周波数が通常でない場合には、通常になるように制御する（ステップＳ３０６）。
省電力部１０６は、電池１０４の残量レベルが「３」の場合には、電力供給部１０８からの供給電力が通常になるように電力供給制御部１０７を指示し、電力供給制御部１０７は、電力供給部１０８からの供給電力が通常でない場合には、通常になるように制御する（ステップＳ３０７、Ｓ３０８）。
【００２５】
また、省電力部１０６は、クロック生成部１１０からのクロック周波数が低くになるようにクロック制御部１０９を指示し、クロック制御部１０９は、クロック生成部１１０からのクロック周波数が低くない場合には、低くなるように制御する（ステップＳ３０９）。
省電力部１０６は、電池１０４の残量レベルが「２」の場合には、電力供給部１０８からの供給電力が通常になるように電力供給制御部１０７を指示し、電力供給制御部１０７は、電力供給部１０８からの供給電力が通常でない場合には、通常になるように制御する（ステップＳ３１０、Ｓ３１１）。
【００２６】
また、省電力部１０６は、クロック生成部１１０がクロック生成を停止するようにクロック制御部１０９を指示し、クロック制御部１０９は、クロック生成部１１０がクロックを生成している場合には、生成を停止するように制御する（ステップＳ３１２）。
省電力部１０６は、電池１０４の残量レベルが「１」の場合には、電力供給部１０８からの電力供給を停止するように電力供給制御部１０７を指示し、電力供給制御部１０７は、電力供給部１０８から電力供給が行われている場合には、電電力供給を停止するように制御する（ステップＳ３１３、Ｓ３１４）。
【００２７】
また、省電力部１０６は、クロック生成部１１０がクロック生成を停止するようにクロック制御部１０９を指示し、クロック制御部１０９は、クロック生成部１１０がクロックを生成している場合には、生成を停止するように制御する（ステップＳ３１５）。
そして、携帯電話から記録メディアが脱着されているなら、省電力制御処理を終了し、脱着されていないなら、ステップＳ３０１に戻り、省電力制御処理を継続する（ステップＳ３１６）。
＜まとめ＞
以上のように、本実施の形態に係る携帯電話では、電池残量が少なくなったときには、記録メディアへの供給電力を減少させるので、携帯電話としての本来の機能が実行できなくなるのを防止することができる。
＜変形例＞
（１）記録メディアについて
本実施の形態に係る記録メディアとして、コンパクトフラッシュ、スマートカード、メモリスティック、マルチメディアカード、ＳＤメモリカードなどのメモリカードを用いることができる。
【００２８】
また、記録メディアとしてＣＰＵを備えないカードを用いるものとし、携帯端末では、記録メディアへの電力供給のみを制御するものとしてもよい。
（２）コンテンツについて
本実施の形態では、コンテンツは、ＭＰ３形式の電子音楽データとしたが、これに限定するものではない。例えば、ＡＡＣ（Ａｄｖａｎｃｅｄ　Ａｕｄｉｏ　Ｃｏｄｉｎｇ）やＬＰＣＭ（Ｌｉｎｅａｒ　Ｐｕｌｓｅ　Ｃｏｄｅ　Ｍｏｄｕｌａｔｉｏｎ）などの電子音楽データであってもよい。また、ＪＰＥＧ（Ｊｏｉｎｔ　Ｐｈｏｔｏｇｒａｐｈｉｃ　Ｅｘｐｅｒｔ　Ｇｒｏｕｐ）、ＭＰＥＧ１／２／４によるビデオデータであってもよく、さらには、ＨＴＭＬ（Ｈｙｐｅｒ　Ｔｅｘｔ　Ｍａｒｋｕｐ　Ｌａｎｇｕａｇｅ）等の電子テキストデータ、ゲームなどのアプリケーションであってもよい。
（３）携帯端末について
本実施の形態では、携帯端末の一例として携帯電話を用いて説明したが、これに限定するものではない。バッテリにより自装置及び自装置に装着された記録メディアに給電する携帯型の端末であれば、ＰＤＡや、ハンドヘルドＰＣや、あるいはノート型のＰＣであってもよい。
（４）省電力処理の通知について
本実施の形態では、省電力処理がなされことを特にユーザに通知しなかったが、例えば、電池残量が少ないためコンテンツの再生ができない旨のメッセージをを表示するものとしてもよい。
（５）電池残量のレベル設定
本実施の形態では、省電力制御に移行するための電池残量は、予め決められているものとして説明したが、これに限定するものではなく、ユーザが自身で設定するものとしてもよい。
（６）認証処理
本実施の形態では、携帯電話内の認証処理部４００と認証処理を行う相手として記録メディア内のＣＰＵ２０２としたが、これに限定するものではなく、記録メディア内に認証処理用の専用の認証用チップを設けて、当該認証用チップが認証処理を行うものとしてもよい。
【００２９】
（産業上の利用可能性）
記録メディアに記録されたコンテンツを再生する機能を備えた携帯電話として利用することができる。
【図面の簡単な説明】
【図１】
本発明の実施の形態に係る携帯端末の構成と、当該端末に接続される記録メディアの構成とを示す。
【図２】
コンテンツ再生機能部１０３の詳細な構成を示す。
【図３】
電池残量と、電力制御との関係を示す。
【図４】
携帯端末の省電力制御処理の動作手順を示すフロチャートである。
【図１】
2004501468.tif 000003
【図２】
2004501468.tif 000004
【図３】
2004501468.tif 000005
【図４】
2004501468.tif 000006
【国際公開パンフレット】
2004501468.tif 000007
2004501468.tif 000008
2004501468.tif 000009
2004501468.tif 000010
2004501468.tif 000011
2004501468.tif 000012
2004501468.tif 000013
2004501468.tif 000014
2004501468.tif 000015
2004501468.tif 000016
2004501468.tif 000017
2004501468.tif 000018
2004501468.tif 000019
2004501468.tif 000020
2004501468.tif 000021
2004501468.tif 000022
2004501468.tif 000023
2004501468.tif 000024
2004501468.tif 000025
2004501468.tif 000026
2004501468.tif 000027
2004501468.tif 000028
2004501468.tif 000029
2004501468.tif 000030
2004501468.tif 000031
2004501468.tif 000032
【国際調査報告】
2004501468.tif 000033